(57)【要約】      （修正有）【課題】使用者が、安定した姿勢で、安全で、安心して腰掛歩行が出来て、停車時も安定して、安全で、安心して静止できる、歩行機具を提供する。【解決手段】前輪と、後輪と、前輪及び後輪よりも上方に配置された腰掛と、腰掛より上方かつ、前輪側に配置された胸支えと、胸支えの近傍かつ、後方に配置された脇肩支えと、胸支え前方に配置されたハンドルと、ハンドルに付属するブレーキを備える。前輪の上方で、ハンドルの下方にサイドブレーキを備える。使用者は、腰掛に腰掛けて、安定して、安全で、安心して、腰掛歩行ができる。また、使用者は、胸支えと脇肩支えによって、脇と肩を支えられ、楽な前傾姿勢を保ち、安定して、安全で、安心して、歩行ができる。更に、制動、停止、静止、が出来て、安定して、安全で、安心である。【選択図】図６
0003192652.tif 000002
【実用新案登録請求の範囲】
【請求項１】
前輪と、後輪と、腰掛と、胸支えと、脇肩支えと、ハンドルと、ブレーキとを備える歩行機具。
【請求項２】
サイドブレーキを備える、請求項１記載の歩行機具。
【考案の詳細な説明】
【技術分野】
【０００１】
本考案は歩行機具に関するものである。
【背景技術】
【０００２】
加齢による体型の変化、筋力、体力の衰えが進行しつつある高齢者や、事故や疾病用により同様な症状が残る障害者の方々に便利な様々な歩行器が提供されている。
たとえば、特許文献１には、使用者の腰を支え、胴を支え、歩行できる歩行器が提案されている。
また、たとえば、特許文献２には、同じように、座席に座って歩行する歩行器が提案されている。
【先行技術文献】
【特許文献】
【０００３】
【特許文献１】特開２０１３−１５０６５５号公報
【特許文献２】実用新案登録第３１６８７７９号公報
【考案の概要】
【考案が解決しようとする課題】
【０００４】
従来の歩行器は、使用者が両手で押して歩く、であり、足、腰、の筋力が充分ではない方々は、車椅子の座席に座って、他者に押してもらう、である。
前記のように、使用者が両手でハンドル、または、取っ手等を握って歩く歩行器を使っての歩行時に、歩行器だけが先行し、使用者の足がついていかない場合、転倒することになる。
また、特許文献１に記載の歩行器は、構造が複雑であり、障害者や高齢者であっても、女性が使いたいと思えるものではなかった。
特許文献2に記載の歩行器は、後ろに転ぶ危険性は少ないが、高齢者や障害を持つ人々の体型の変化や、筋力、体力の不足を補うことはできない。
特に上半身の安定が得られない。
本考案は、上記の問題を検討した結果、提案するものであり、使用者の安定した歩行と歩行停止ができる歩行機具を提供することを目的とする。
【課題を解決するための手段】
【０００５】
本考案の歩行機具は、前輪と、後輪と、腰掛と、胸支えと、脇肩支えと、ハンドルと、ブレーキ、を備える、歩行機具である。
また、本考案の歩行機具は、サイドブレーキを備えるものとすることができる。
【考案の効果】
【０００６】
本考案の歩行機具の使用者は、腰掛に腰掛けて、腰掛歩行が出来る。
本考案の歩行機具の使用者は、胸支えと、脇肩支えに、胸と脇肩を支えられることにより、前傾姿勢を安定させて、楽な使用姿勢を保って、歩行することが出来る。
本考案の歩行機具の使用者は、ハンドルと、ブレーキと、サイドブレーキを、それぞれの状況に応じて操作することにより、本歩行機具を安全に操向することが出来て、安全に、制動、停止、静止、することが出来る。
【図面の簡単な説明】
【０００７】
【図１】本考案の歩行機具の一例を示す概略側面図である。
【図２】本考案の歩行機具の一例を示す概略正面図である。
【図３】本考案の歩行機具の一例を示す概略俯瞰図である。
【図４】本考案の歩行機具の使用状態の一例を示す、腰掛、及び、脇肩支えの作動図である。
【図５】本考案の歩行機具のサイドブレーキの作動状態を示すを示す概略側面図である。
【図６】本考案の歩行機具の使用状態の一例を示す概略側面図である。
【考案を実施するための形態】
【０００８】
本考案の歩行機具１は、使用者が、高齢者や障害者の方々と想定しているので、使用者の安全を考慮し、
腰掛１１には左右にずり落ちないように腰壁を設け、
後ろにひっくり返らないように背もたれを設け、
腰掛歩行がしやすいように、左右および前方に、若干傾けることが出来る構造とする。
胸支え、すなわち、胸支え上部５、胸支え下部６、胸支え支柱７、及び、胸支え延長部８、と、脇肩支え９は、歩行時の路面の凹凸の衝撃を軽減するため、衝撃緩衝機能を持つ胸支えカバー２８、及び、脇肩支えカバー２９で覆う。
胸支え各部の高さや角度は、使用者が楽な使用姿勢を保てるように、使用者の体型、姿勢に合わせて調整できるようにし、
腰掛１１も、使用者の体型、姿勢に合わせて高さを調整できるようにする。
図４に示すように,腰掛１１は使用者が 着座しやすいように 、水平に回動できる構造とする。                                                                                                                                                                           
図４に示すように脇肩支え９は、使用者が、腰掛１１に着座しやすいように、水平に回動できる構造とする。
ハンドル、すなわち、ハンドルバー１２及びハンドルグリップ１３は胸支えの前下方に設置され、使用者が握る部分であるハンドルグリップ１３に沿ってブレーキ１６が設置されている。
サイドブレーキ１７は、前部支柱１０の側面に設置され、前方に押すと全車輪（前輪２及び後輪４）を係止し、手前に引き戻すと係止を解除することが出来る構造とする。
【実施例】
【０００９】
本考案の歩行機具１の使用者は、脇肩支え９と腰掛１１を回動させて着座しやすい状態にした後、腰掛１１に着座し、体の向きを四分の一ほど回転させ、体の向きを前方に向け、脇肩支え９を回動させて脇肩を支える状態にする。
胸支え各部に胸を支えられた状態で片方の手を一方のハンドルグリップ１３に掛け、ブレーキ１６を握り、ブレーキ１６を利かせた状態で、他方の手を使い、サイドブレーキ１７を解除し、その手を他方のハンドルグリップ１３に掛け、安全を確認し、ブレーキ１６を緩め、歩行を開始する。
制動、停止する場合は、指先でブレーキ１６を操作する。
停車、静止する場合はサイドブレーキ１７を前方に押して全車輪（前輪２及び後輪４）を係止する。
【産業上の利用可能性】
【００１０】
本考案の歩行機具によって、加齢による円背や、筋力、体力が衰えている方も、より安全に歩行できる。
杖をついて歩けるような方であれば、本考案の歩行機具により疲労が軽減されるので、買い物等、日常の生活に役立つ。
独居者でも自立した生活が維持できる。充電式電池とＧＰＳ及び通信機能を取り付けておき、使用居宅で駐車保管時充電し、使用状態を遠隔地で掌握できるようにすれば、訪問支援、介護、の頻度を下げることができる。
支援や介護する人も、歩行時の手助け等の負担が少ない。
【符号の説明】
【００１１】
１  歩行機具
２  前輪
３  前輪間パイプ
４  後輪
５  胸支え上部
６  胸支え下部
７  胸支え支柱
８  胸支え延長部
９  脇肩支え
１０  前部支柱
１１  腰掛
１２  ハンドルバー
１３  ハンドルグリップ
１４  ハンドル支持部
１５  ハンドル支持部取付金具
１６  ブレーキ
１７  サイドブレーキ
１８  底骨
１９  第１の腰掛支持円筒
２０  第２の腰掛け支持円筒
２１  第３の腰掛け支持円筒
２２  第４の腰掛け支持円筒
２３  後輪フォーク
２４  腰掛け支柱パイプ
２５  腰掛け支持柱
２６  バネ支え
２７  バネ
２８  胸支えカバー
２９  脇肩支えカバー
【図１】
0003192652.tif 000003
【図２】
0003192652.tif 000004
【図３】
0003192652.tif 000005
【図４】
0003192652.tif 000006
【図５】
0003192652.tif 000007
【図６】
0003192652.tif 000008
【手続補正書】
【提出日】平成26年6月12日(2014.6.12)
【手続補正１】
【補正対象書類名】実用新案登録請求の範囲
【補正対象項目名】全文
【補正方法】変更
【補正の内容】
【実用新案登録請求の範囲】
【請求項１】
前輪と、後輪と、前輪及び後輪よりも上方に配置された腰掛と、腰掛より上方かつ、前輪側に配置された胸支えと、胸支えの近傍かつ、後方に配置された脇肩支えと、胸支え前方に配置されたハンドルと、ハンドルに付属するブレーキを備える歩行機具。
【請求項２】
前輪の上方で、ハンドルの下方にサイドブレーキを備える、請求項１記載の歩行機具。